(57)【特許請求の範囲】
【請求項１】
電装機器に接続され複数の電線を絶縁体を介して平行且つ一体的に配置してなるパラレルサブハーネスと、
ジャンクションボックスと接続されると共に前記パラレルサブハーネスを介して前記電装機器と接続されて該パラレルサブハーネスを構成する電線の接続配置を変換させる変換ボックスとを備えることを特徴とするワイヤハーネス。
【請求項２】
請求項１記載のワイヤハーネスであって、前記ジャンクションボックスと前記変換ボックスとが、複数の電線を絶縁体を介して平行且つ一体的に配置してなるパラレルハーネスを介して接続され、前記ジャンクションボックスから前記電装機器までが前記変換ボックスを介してパラレルに接続されていることを特徴とするワイヤハーネス。
【請求項３】
請求項１記載のワイヤハーネスであって、前記パラレルサブハーネスは、電源系統に接続される前記電線同士、又は信号系統に接続される前記電線同士で構成されていることを特徴とするワイヤハーネス。
【請求項４】
請求項１乃至請求項３のいずれか一項に記載のワイヤハーネスであって、
それぞれの前記パラレルサブハーネスは、両端部同士が同一の端子配列であることを特徴とするワイヤハーネス。
【請求項５】
請求項１乃至請求項４のいずれか一項に記載されたワイヤハーネスであって、
前記変換ボックスは、中継コネクタであることを特徴とするワイヤハーネス。
【請求項６】
請求項１乃至請求項４のいずれか一項に記載されたワイヤハーネスであって、
前記変換ボックスは、プリント配線基板を備えてなることを特徴とするワイヤハーネス。
【請求項７】
請求項１乃至請求項４のいずれか一項に記載されたワイヤハーネスであって、
前記変換ボックスは、フレキシブルプリント配線基板を備えてなることを特徴とするワイヤハーネス。
【請求項８】
請求項１乃至請求項４のいずれか一項に記載されたワイヤハーネスであって、
前記変換ボックスは、前記電線の端末を接続、収容する端末接続部材の積層体からなることを特徴とするワイヤハーネス。
【発明の詳細な説明】
【０００１】
【発明の属する技術分野】
この発明はワイヤハーネスに関し、さらに詳しくは、一端側が電気接続箱などに接続されるとともに、中間部に接続を変換する変換ボックスを備えるワイヤハーネスに関する。
【０００２】
【従来の技術】
従来、ワイヤハーネスとしては、例えば自動車のドアやインスツルメントパネル内などの空間に電気配線として用いられる。図５に示すように、ジャンクションボックス１と、例えばパワーウインドモータ、集中ドアロック用ソレノイドなどの電装機器２、３、４とを接続する場合に、複数の電線５、６、７、８、９などを備えるワイヤハーネス１０を用いている。また、このワイヤハーネス１０の中間部には、適宜ジャンクションコネクタ１１が用いられている。
【０００３】
また、従来の他のワイヤハーネスとしては、図６に示すようなものがある。このワイヤハーネス２０は、スイッチ／電子制御ユニット２１、電気接続箱２２、例えばアースに接続されるジャンクションコネクタ２３、モータ２４、他の電子制御ユニット２５などの接続に用いられている。このワイヤハーネス２０は、スイッチ／電子制御ユニット２１と、電気接続箱２２、ジャンクションコネクタ２３、モータ２４などとを結ぶ比較的太い電線２６、２７、２８を備えている。また、ワイヤハーネス２０は、スイッチ／電子制御ユニット２１と、他の電子制御ユニット２５とを結ぶ比較的細い信号線２９、３０、３１を備えている。このように、ワイヤハーネス２０では、電源系統の比較的太い電線２６、２７、２８と、信号系統の比較的細い信号線２９、３０、３１とが混在している。電源系統の電線と信号系統の信号線とでは、その電流値が異なるため、スイッチ／電子制御ユニット２１とワイヤハーネス２０とを接続するコネクタ３２は、電源系統の電線を接続する比較的大きい接続端子と、信号線を接続する比較的小さい接続端子とを備えている。
【０００４】
【発明が解決しようとする課題】
しかしながら、上記した従来技術の前者では、図５に示したように、電装機器２、３、４に対して、ワイヤハーネス１０側の端子ピン配列の指定が困難であるため、ワイヤハーネスの自動化生産が困難であった。特に、図５に示すように、ワイヤハーネス１０とジャンクションボックス１とを接続するコネクタ１０Ａの端子配列と、電装機器２、３、４に接続するコネクタ１０Ｂ、１０Ｃ、１０Ｄの端子ピン配列は、大幅に異なっている。そして、ワイヤハーネス１０の製造方法を容易にするために、サブアッセンブリを検討、成立させるために要する設計時間が長期化するという問題点を有している。また、図５に示すワイヤハーネス１０では、電線同士が錯綜しているため、誤配線を招く虞れがあった。
【０００５】
一方、上記した従来技術の後者では、図６に示したように、電源線、アース線、信号線などの太さや電流値が互いに異なるため、接続端子の大きさが互いに異なりコネクタ３２の構成が複雑になるという問題点があった。このように太い電線と細い電線とが混在することにより、接続端子の嵌め作業が困難となる問題点があった。また、電源、アース、信号などの行き先が違うため、ワイヤハーネス２０の製造が困難であった。
【０００６】
そこで、本発明の目的は、製造が容易で自動化生産が可能であると共に、端子嵌め違いなどの発生を防止して品質向上を図ることができ、しかも車種や規格の異なるシステム間でも使用できる汎用性の高いワイヤハーネスを提供することにある。
【０００７】
【課題を解決するための手段】
請求項１記載の発明は、電装機器に接続され複数の電線を絶縁体を介して平行且つ一体的に配置してなるパラレルサブハーネスと、ジャンクションボックスと接続されると共に前記パラレルサブハーネスを介して前記電装機器と接続されて該パラレルサブハーネスを構成する電線の接続配置を変換させる変換ボックスとを備えることを特徴とする。
【０００８】
このような構成の請求項１記載の発明では、パラレルサブハーネスを複数用意することで、変換ボックスにこれらパラレルサブハーネスを単純に接続するだけで電装機器と接続することができ、所定の配索パターンを備えるワイヤハーネスを実現することができる。また、この発明では、変換ボックス内の配線パターンを適宜変更することにより、車種や規格の異なるシステム間でも使用でき汎用性を高めることができる。
【０００９】
また、請求項２記載の発明は、請求項１記載のワイヤハーネスであって、前記ジャンクションボックスと前記変換ボックスとが、複数の電線を絶縁体を介して平行且つ一体的に配置してなるパラレルハーネスを介して接続され、前記ジャンクションボックスから前記電装機器までが前記変換ボックスを介してパラレルに接続されていることを特徴とする。
【００１０】
したがって、請求項２記載の発明では、請求項１に記載された発明の作用に加えて、ジャンクションボックスから電装機器までを、変換ボックスを介してパラレルに接続することができる。
【００１１】
また、請求項３記載の発明は、請求項１記載のワイヤハーネスであって、前記パラレルサブハーネスは、電源系統に接続される前記電線同士、又は信号系統に接続される前記電線同士で構成されていることを特徴とする。
【００１２】
したがって、請求項３記載の発明では、例えば電源線、アース線、信号線などの太さや電流値が互いに異なる電線を備えるワイヤハーネスであっても、パラレルサブハーネスが電源系統の電線同士、信号系統の電線同士を集めて作成されているため、接続端子の大きさの統一を図ることができ、パラレルサブハーネスの両端のコネクタの構成を簡単にすることができる。このため、パラレルサブハーネスの製造を容易にすることができる。また、このように、コネクタが簡単な構成となるため、接続端子の嵌め作業を容易且つ確実に行うことが可能となる。また、変換ボックスにて電源、アース、信号などの行き先別に接続を行うことが可能となるため、ワイヤハーネスの構成を簡略化することができる。
【００１３】
また、請求項４記載の発明は、請求項１乃至請求項３のいずれか一項に記載のワイヤハーネスであって、それぞれの前記パラレルサブハーネスは、両端部同士が同一の端子配列であることを特徴とする。
【００１４】
したがって、請求項４記載の発明では、請求項１乃至請求項３に記載された発明の作用に加えて、パラレルサブハーネスの両端の端子ピン配列が同一となるため、自動化生産を容易に行うことができる。
【００１５】
さらに、請求項５記載の発明は、請求項１乃至請求項４のいずれか一項に記載されたワイヤハーネスであって、前記変換ボックスは、中継コネクタであることを特徴とする。
【００１６】
したがって、請求項５記載の発明では、中継コネクタが内部に所望の配線パターンを備えることにより、パラレルサブハーネスとの接続を容易にする作用がある。
【００１７】
また、請求項６記載の発明は、請求項１乃至請求項４のいずれか一項に記載されたワイヤハーネスであって、前記変換ボックスは、プリント配線基板を備えてなることを特徴とする。
【００１８】
したがって、請求項６記載の発明では、請求項１乃至請求項４に記載された発明の作用に加えて、変換ボックスをプリント配線基板で構成することにより、印刷法により容易に所望の配線パターンが得られるため、変換ボックスの製造を容易にすることができる。
【００１９】
さらに、請求項７記載の発明は、請求項１乃至請求項４のいずれか一項に記載されたワイヤハーネスであって、前記変換ボックスは、フレキシブルプリント配線基板を備えてなることを特徴とする。
【００２０】
したがって、請求項７記載の発明では、請求項１乃至請求項４に記載された発明の作用に加えて、変換ボックスをフレキシブルプリント配線基板で構成することにより、変換ボックスが可撓性を有するため、ワイヤハーネスの配索性を高める作用がある。
【００２１】
また、請求項８記載の発明は、請求項１乃至請求項４のいずれか一項に記載されたワイヤハーネスであって、前記変換ボックスは、前記電線の端末を接続、収容する端末接続部材の積層体からなることを特徴とする。
【００２２】
したがって、請求項８記載の発明では、請求項１乃至請求項４に記載された発明の作用に加えて、変換ボックスを端末接続部材の積層体で構成することにより、三次元的に接続を行うことが可能となり、配線パターンの集約性を高める作用がある。
【００２３】
【発明の実施の形態】
以下、本発明に係るワイヤハーネスの詳細を図面に示す各実施形態に基づいて説明する。
【００２４】
（実施形態１）
図１は本発明に係るワイヤハーネス５０を示す説明図である。このワイヤハーネス５０は、それぞれ複数の電線５１を備えてなるパラレルサブハーネス５２、５３、５４と、変換ボックス５５と、これらパラレルサブハーネス５２、５３、５４が分岐線となるパラレルハーネス５６とから大略構成されている。
【００２５】
パラレルサブハーネス５２、５３、５４は、それぞれ固有の数の電線５１が平行に並べられて、これらの電線５１を可撓性を有する電気絶縁体で一体的に被覆してなるフラットケーブル状のものである。そして、パラレルサブハーネス５２の両端には、互いに同一の端子ピン配列のコネクタ５２Ａ、５２Ｂが設けられている。同様に、パラレルサブハーネス５３、５４においても、それぞれの両端にコネクタ５３Ａ、５３Ｂ、５４Ａ、５４Ｂが設けられている。なお、コネクタ５２Ａ、５３Ａ、５４Ａは、図１に示すように電装機器６４、６５、６６に接続されるようになっている。
【００２６】
変換ボックス５５は、図１に示すように、内部に所望パターンの複数のパターン配線５７が設けられている。この変換ボックス５５は、具体的には例えば図３に示すように、偏平な絶縁樹脂ボックス５８内に、所望のパターン配線５７が印刷されたプリント配線基板５９が収納され、絶縁樹脂ボックス５８の上が蓋６０で閉塞されている。また、図３には示さないが絶縁樹脂ボックス５８の側部にパラレルサブハーネス５２、５３、５４のコネクタ５２Ｂ、５３Ｂ、５４Ｂや、パラレルハーネス５６側のコネクタと結合するボックス側コネクタ部が設けられている。
【００２７】
なお、図４は変換ボックス５５の変形例を示している。この変形例の変換ボックス５５では、複数層（三層）のフレキシブル配線基板６１の積層体でなり、側部にはパラレルサブハーネス５２、５３、５４のコネクタ５２Ｂ、５３Ｂ、５４Ｂや、パラレルハーネス５６側のコネクタと結合する複数のボックス側コネクタ部６２が適宜設けられている。
【００２８】
パラレルハーネス５６は、パラレルサブハーネス５２、５３、５４が変換ボックス５５を介して接続されるケーブルであり、図１に示すように一端側に変換ボックス５５に接続されるコネクタ５６Ａと他端側にジャンクションボックス６３に接続されるコネクタ５６Ｂが設けられている。
【００２９】
このような構成のワイヤハーネス５０では、複数のパラレルサブハーネス５２、５３、５４を用意することで、変換ボックス５５にこれらパラレルサブハーネス５２、５３、５４を単純に接続するだけで所定の配索パターンを備えるワイヤハーネス５０を実現することができる。また、本実施形態では、変換ボックス５５内の配線パターンを適宜変更することにより、車種や規格の異なるシステム間でも使用でき汎用性を高めることができる。
【００３０】
また、パラレルサブハーネス５２、５３、５４の両端の端子ピン配列が同一となるため、自動化生産を容易に行うことができる。
【００３１】
さらに、変換ボックス５５としては、中継コネクタを適用してもよい。そして、中継コネクタ内部に所望の配線パターンを備えることにより、図１に示した変換ボックス５５と同様にパラレルサブハーネス５２、５３、５４との接続を容易に行うことができる。
【００３２】
また、図３に示したように、変換ボックス５５内にプリント配線基板５９を備える構成とすれば、印刷法により容易に所望の配線パターンが得られるため、変換ボックス５５の製造を容易にすることができる。
【００３３】
さらに、変換ボックス５５として、図４に示すようにフレキシブル配線基板６１の積層体を用いることで、変換ボックス５５が可撓性を有するため、ワイヤハーネス５０の配索性を高めることができる。また、積層体としたことにより、三次元的に接続を行うことが可能となり、配線パターンの集約性を高めることができる。
【００３４】
また、本実施形態では、ジャンクションボックス６３から電装機器６４、６５、６６までを変換ボックス５５を介してパラレルハーネス５６、パラレルサブハーネス５２、５３、５４によりパラレルに接続することができる。
【００３５】
（実施形態２）
図２は、本発明に係るワイヤハーネスの実施形態２を示す説明図である。なお、図２に示すワイヤハーネス７０は、スイッチ／ＥＣＵ（電装機器）７１、ジャンクションボックス７２、モータ（電装機器）７３、他のＥＣＵ（電装機器）７４などに接続を行った例を示している。また、本実施形態では、ジャンクションボックス７２と変換ボックス８１とは、サブハーネス８２により接続されている。
【００３６】
このワイヤハーネス７０は、電流値の大きい複数の電線７８を平行且つ絶縁性を保って一体に形成したパラレルサブハーネス７５と、電流値の小さい複数の信号線７９を平行且つ絶縁性を保って一体に形成したパラレルサブハーネス７６と、同じく電流値の小さい複数の信号線８０を平行且つ絶縁性を保って一体に形成したパラレルサブハーネス７７と、変換ボックス８１と、電流値の大きい単数の電線でなるサブハーネス８２、８３とで構成されている。パラレルサブハーネス７５の一端には、スイッチ／ＥＣＵ７１に接続されるコネクタ７５Ａが設けられ、他端には変換ボックス８１に接続されるコネクタ７５Ｂが設けられている。
【００３７】
また、パラレルサブハーネス７６の一端には、スイッチ／ＥＣＵ７１に接続されるコネクタ７６Ａが設けられ、他端には変換ボックス８１に接続されるコネクタ７６Ｂが設けられている。
【００３８】
さらに、パラレルサブハーネス７７の一端には、ＥＣＵ７４に接続されるコネクタ７７Ａが設けられ、他端には変換ボックス８１に接続されるコネクタ７７Ｂが設けられている。
【００３９】
変換ボックス８１内には、電源系統の配線パターンと信号系統の配線パターンとが所望パターンで形成されている。なお、この変換ボックス８１の具体的な構成は、上記した実施形態１で説明した図３及び図４に示すような構造を採用すればよい。
【００４０】
そして、ジャンクションボックス７２と変換ボックス８１、変換ボックス８１とモータ７３との接続は、製造が極めて用意な汎用性の高いサブハーネス８２、８３を用いて簡単に接続することができる。
【００４１】
この実施形態２では、例えば電源線、アース線、信号線などの太さや電流値が互いに異なる電線を備える場合であっても、パラレルサブハーネス７５、７６、７７が電源系統の電線同士、信号系統の電線同士を集めて作成されているため、接続端子の大きさの統一を図ることができ、パラレルサブハーネス７５、７６、７７の両端のコネクタ７５Ａ、７５Ｂ、７６Ａ、７６Ｂ、７７Ａ、７７Ｂの構成を簡単にすることができる。このため、パラレルサブハーネス７５、７６、７７の製造を容易にすることができる。また、このように、コネクタが簡単な構成となるため、接続端子の嵌め作業を容易且つ確実に行うことが可能となる。また、変換ボックス８１にて電源、アース、信号などの行き先別に接続を行うことが可能となるため、ワイヤハーネス７０の構成を簡略化することができる。
【００４２】
以上、実施形態１、２について説明したが、本発明はこれらに限定されるものではなく、構成の要旨に付随する各種の変更が可能である。
【００４３】
【発明の効果】
以上の説明から明らかなように、請求項１記載の発明によれば、パラレルサブハーネスを複数用意することで、変換ボックスにこれらパラレルサブハーネスを単純に接続するだけで電装機器と接続することができ、所定の配索パターンを備えるワイヤハーネスを実現することができる。また、この発明によれば、変換ボックス内の配線パターンを適宜変更することにより、車種や規格の異なるシステム間でも使用でき汎用性を高める効果がある。
【００４４】
請求項２記載の発明によれば、請求項１記載の発明の効果に加えて、ジャンクションボックスから電装機器までを変換ボックスを介してパラレルに接続することができるという効果が得られる。
【００４５】
請求項３記載の発明によれば、電源線、アース線、信号線などの太さや電流値が互いに異なる電線を備えるワイヤハーネスであっても、パラレルサブハーネスが電源系統の電線同士、信号系統の電線同士を集めて作成されているため、接続端子の大きさの統一を図ることができ、パラレルサブハーネスの両端のコネクタの構成を簡単にすることができる。このため、パラレルサブハーネスの製造を容易にすることができる。また、このように、コネクタが簡単な構成となるため、接続端子の嵌め作業を容易且つ確実に行うことが可能となる。また、変換ボックスにて電源、アース、信号などの行き先別に接続を行うことが可能となるため、ワイヤハーネスの構成を簡略化することができる。
【００４６】
請求項４記載の発明によれば、請求項１乃至請求項３に記載された発明の効果に加えて、パラレルサブハーネスの両端の端子ピン配列が同一となるため、自動化生産を容易に行えるという効果がある。
【００４７】
請求項５記載の発明によれば、中継コネクタが内部に所望の配線パターンを備えることにより、パラレルサブハーネスとの接続を容易にする効果がある。
【００４８】
請求項６記載の発明によれば、請求項１乃至請求項４に記載された発明の効果に加えて、変換ボックスをプリント配線基板で構成することにより、印刷法により容易に所望の配線パターンが得られるため、変換ボックスの製造を容易にすることができる。
【００４９】
請求項７記載の発明によれば、請求項１乃至請求項４に記載された発明の効果に加えて、変換ボックスをフレキシブルプリント配線基板で構成することにより、変換ボックスが可撓性を有するため、ワイヤハーネスの配索性を高める効果がある。
【００５０】
請求項８記載の発明によれば、請求項１乃至請求項４に記載された発明の効果に加えて、変換ボックスを端末接続部材の積層体で構成することにより、三次元的に接続を行うことが可能となり、配線パターンの集約性を高める効果がある。
【図面の簡単な説明】
【図１】本発明に係るワイヤハーネスの実施形態１を示す説明図である。
【図２】本発明に係るワイヤハーネスの実施形態２を示す説明図である。
【図３】実施形態１に係る変換ボックスの変形例である。
【図４】実施形態１に係る変換ボックスの他の変形例である。
【図５】従来のワイヤハーネスを示す説明図である。
【図６】従来の他のワイヤハーネスを示す説明図である。
【符号の説明】
５０  ワイヤハーネス
５２、５３、５４、７５、７６、７７  パラレルサブハーネス
５５、８１  変換ボックス
６３、７２  ジャンクションボックス
６４、６５、６６、７１、７３、７４  電装機器
【図１】
0003774130.tif 000002
【図２】
0003774130.tif 000003
【図３】
0003774130.tif 000004
【図４】
0003774130.tif 000005
【図５】
0003774130.tif 000006
【図６】
0003774130.tif 000007